【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
画像を表示する湾曲した表示パネルと、
前記表示パネルの表示面と反対側に配置され、光源を内部に保持するフレームを備えて前記表示パネルを照射するバックライトと、
前記表示パネルに信号を入力する配線が形成された第１の配線基板と、
前記第１の配線基板と前記表示パネルの端部とを接続する第２の配線基板と、を備え、
前記第１の配線基板は、前記第２の配線基板の端部を挿入するコネクタを有し、
前記フレームは、前記表示パネルの曲率に対応して形成された平面を有し、前記平面に前記第１の配線基板の前記コネクタを含む領域を対向して配置させたことを特徴とする表示装置。
【請求項２】
前記コネクタは、前記第２の配線基板の端部が挿入されるコネクタ挿入口を備え、前記コネクタ挿入口と、前記フレームに形成された前記平面とが、実質的に平行に配置されることを特徴とする請求項１記載の表示装置。
【請求項３】
前記フレームに形成された前記平面は、前記コネクタの中心より、前記表示パネルの湾曲を設定する曲率の中心に向かって延長された延長線と、コネクタとのなす角θが９０°±５°の範囲内で設定したことを特徴とする請求項１または２記載の表示装置。
【請求項４】
前記第２の配線基板および前記第２の配線基板の端部が挿入されるコネクタは、複数配置され、前記第１の配線基板の前記複数のコネクタを含む領域に対応して配置される前記平面が前記フレームに複数形成されたことを特徴とする請求項１〜３のいずれか１項に記載の表示装置。
【請求項５】
前記第１の配線基板は前記複数のコネクタを含む領域に対応して平面視矩形状で形成され、
前記第１の配線基板は、前記フレームに形成される前記各平面間に対向配置される領域において、折り曲げ部を形成した請求項４記載の表示装置。
【請求項６】
前記折り曲げ部は、前記第１の配線基板の配線の表面に積層された保護膜を形成しない領域を備えた請求項５記載の表示装置。
【請求項７】
前記折り曲げ部において、前記保護膜を形成しない領域は前記各平面間の距離に対応して設定された請求項６記載の表示装置。
【請求項８】
前記折り曲げ部において、前記保護膜を形成しない領域は前記表示パネルの曲率に対応して幅が設定された請求項６記載の表示装置。
【請求項９】
前記フレームは、断面視において、前記平面の前記コネクタ挿入口が配置される位置に対応する突出部を前記コネクタ挿入口近傍にさらに備えることを特徴とする請求項１〜８のいずれか１項に記載の表示装置。
【手続補正２】
【補正対象書類名】明細書
【補正対象項目名】０００８
【補正方法】変更
【補正の内容】
【０００８】
本発明の表示装置は、画像を表示する湾曲した表示パネルと、表示パネルの表示面と反対側に配置され、光源を内部に保持するフレームを備えて表示パネルを照射するバックライトと、表示パネルに信号を入力する配線が形成された第１の配線基板と、第１の配線基板と表示パネルの端部とを接続する第２の配線基板と、を備え、第１の配線基板は、第２の配線基板の端部を挿入するコネクタを有し、フレームは、表示パネルの曲率に対応して形成された平面を有し、平面に第１の配線基板のコネクタを含む領域を対向して配置させたことを特徴とする。
【手続補正３】
【補正対象書類名】明細書
【補正対象項目名】００１４
【補正方法】変更
【補正の内容】
【００１４】
＜表示パネル＞
表示パネル１は、プラズマ表示パネル、有機ＥＬパネル、液晶表示パネルなどを用いることができる。液晶表示パネルは液晶の複屈折性を応用しており、ガラスなどの絶縁性基板上に着色層、遮光層、対向電極等が形成された第１の基板と、ガラスなどの絶縁性基板上にスイッチング素子となる薄膜トランジスタ、画素電極等が形成された第２の基板とを備えている。また、第１の基板と第２の基板との間隔を保持するためのスペーサ、第１の基板と第２の基板とを貼り合わせるためのシール材、両基板の間に狭持させる液晶、液晶を注入する注入口の封止材、液晶を配向させる配向膜および偏光板などにより構成されている。
【手続補正４】
【補正対象書類名】明細書
【補正対象項目名】００１９
【補正方法】変更
【補正の内容】
【００１９】
本発明の実施の形態１に係る表示装置１００の特徴的な構造について、詳細に説明を行う。図３または図４に示すように、本発明の表示装置１００において、表示パネル１の端部１１に接続用ＦＰＣ４の一方の端部である実装部４１が実装される。また、接続用ＦＰＣ４の他方の端部は、表示装置１００の裏面側に配置される。本発明で用いる接続用ＦＰＣ４は湾曲した表示パネル１の端部１１に複数配置されている。また、形状は、設計自由度が制限されない、汎用性の高い矩形形状を有する短冊状のＦＰＣであり、各複数の接続用ＦＰＣ４のサイズは実質的に同一のものを用いる。
【手続補正５】
【補正対象書類名】明細書
【補正対象項目名】００２３
【補正方法】変更
【補正の内容】
【００２３】
湾曲した表示パネル１を備えた表示装置１００に接続用ＦＰＣ４を接続する場合、表示パネル１の端部１１に接続された接続用ＦＰＣ４をバックライト２の裏面側に向かって断面視でコの字状に折り曲げる。接続用ＦＰＣ４のコネクタ挿入部４２を中継用ＦＰＣ３のコネクタ挿入口３１０１に挿入し、両者を接続する。このとき、コの字状に折り曲げられた接続用ＦＰＣ４に変形などによる不具合が発生すると、接続用ＦＰＣ４に応力が加わり、表示パネル１の端部１１に応力が伝わってしまい表示パネル１が破損することがある。
【手続補正６】
【補正対象書類名】明細書
【補正対象項目名】００２７
【補正方法】変更
【補正の内容】
【００２７】
本発明においては、湾曲した表示パネル１の曲率に対応した平面２５１〜２５８に対向して、中継用ＦＰＣ３のコネクタ３１１〜３１８を含む領域が配置される。表示パネル１の曲率に対応した平面２５１〜２５８を形成していることにより、接続用ＦＰＣ４において、表示パネル１の端部１１に実装部４１、コネクタ３１にコネクタ挿入部４２が接続される構造であるため、接続用ＦＰＣ４が変形することを防止できる。これにより、表示パネル１の端部１１に応力が加わり、表示パネル１が破損することを防止できる。また、本発明においては、コネクタ挿入口３１０１と平面２５１〜２５８とが実質的に平行となるよう配置されているため、接続用ＦＰＣ４のコネクタ挿入部４２に加わる応力をより確実に抑制することができる。  
【手続補正７】
【補正対象書類名】明細書
【補正対象項目名】００２９
【補正方法】変更
【補正の内容】
【００２９】
また、各コネクタ３１を各平面２５１〜２５８と対向配置することにより、接続用ＦＰＣ４のコネクタ挿入部４２を接続することで、各コネクタ３１に応力がかかることを防止できるため、コネクタ３１が破損することを防止し、表示装置１００の表示不具合を防止することができる。
【手続補正８】
【補正対象書類名】明細書
【補正対象項目名】００３０
【補正方法】変更
【補正の内容】
【００３０】
また、接続用ＦＰＣ４のコネクタ挿入部４２に応力が発生することを防止することができるため、接続用ＦＰＣ４のコネクタ挿入部４２がコネクタ３１から外れることを防止し、表示装置１００の表示不具合を防止することができる。
【手続補正９】
【補正対象書類名】明細書
【補正対象項目名】００３１
【補正方法】変更
【補正の内容】
【００３１】
また、各コネクタ３１が平面２５１〜２５８に対向して配置されているため、接続用ＦＰＣ４のコネクタ挿入部４２を挿入する際の作業性を向上することができる。
【手続補正１０】
【補正対象書類名】明細書
【補正対象項目名】００３２
【補正方法】変更
【補正の内容】
【００３２】
また、接続用ＦＰＣ４を複数使用する場合、表示パネル１の端部１１の実装部４１より他方の端部である、コネクタ挿入部４２までの長さが略同一の接続用ＦＰＣ４を使用できるため、接続用ＦＰＣ４の共通化が達成できコストの上昇を抑えることができる。
【手続補正１１】
【補正対象書類名】明細書
【補正対象項目名】００３５
【補正方法】変更
【補正の内容】
【００３５】
実施の形態２.
図９に本発明に係るバックライトの裏面斜視図、図１０に図９のＢ−Ｂ断面図を示す。実施の形態１では、湾曲させた表示パネル１の曲率に対応した平面に形成する多角形面２５０を下フレーム２５に備え、中継用ＦＰＣ３の各コネクタ３１を平面上に配置する構造とした。図９または図１０に示すように、本実施の形態２では、下フレーム２５において、中継用ＦＰＣ３のコネクタ３１の挿入部近傍に突出部２５９を形成している。また、突出部２５９は下フレーム２５より外部方向に向かって突出し、断面視でコネクタ挿入部４２と同等の高さを備えている。この構造を構成することにより、接続用ＦＰＣ４のコネクタ挿入部４２をコネクタ３１に挿入して、接続用ＦＰＣ４とコネクタ３１とを接続する際、接続用ＦＰＣ４を突出部２５９に沿って方向４Ａに滑らせて挿入することができるため、作業性が向上するとともに接続用ＦＰＣ４をコネクタ３１に挿入時に接続用ＦＰＣ４に変形または応力が発生することを防止することができる。
【手続補正１２】
【補正対象書類名】明細書
【補正対象項目名】００３７
【補正方法】変更
【補正の内容】
【００３７】
１  表示パネル、１１  表示パネルの端部、２  バックライト、
２２１  バックライトの側部、３  中継用ＦＰＣ、３１  コネクタ、
３１０１  コネクタ挿入口、３１０２  コネクタの中心部、
４  接続用ＦＰＣ、４１  実装部、４２  コネクタ挿入部、
２１  光源、２２  導光板、２３  光学シート、２４  反射シート、２５  下フレーム、２５０  多角形面、２５１〜２５８  各平面、２５９  突出部、２６  上フレーム
１００  表示装置。